(57)【要約】【課題】  上枠が断熱材を備えるものであって、火災時にこの断熱材が火種になることを防いだサッシを提供する。【解決手段】  上枠と、受材を備え、上枠は、室外側部材と室内側部材が断熱材を挟んで連結して形成してあり、受材は、断熱材の下方に位置しており、縁切材を挟んで上枠に取り付けてあって、上枠と受材の間に空間部を形成してあり、空間部に、長手方向に沿って熱膨張耐火材を設けてある。【選択図】      図１
2015094172.tif 000002
【特許請求の範囲】
【請求項１】
上枠と、受材を備え、上枠は、室外側部材と室内側部材が断熱材を挟んで連結して形成してあり、受材は、断熱材の下方に位置しており、縁切材を挟んで上枠に取り付けてあって、上枠と受材の間に空間部を形成してあり、空間部に、長手方向に沿って熱膨張耐火材を設けてあることを特徴とするサッシ。
【発明の詳細な説明】
【技術分野】
【０００１】
本発明は、室外側部材と室内側部材の間に断熱材を挟んで連結して形成した枠を備えるサッシに関する。
【背景技術】
【０００２】
従来、特許文献１に示すように、アルミなどの金属製のサッシにおいて、枠を室外側部材と室内側部材に分割し、その間に樹脂製の断熱材を挟んで連結したものがある。これにより、枠の室外側部材が室外の冷気によって冷やされても、断熱材が室内側への熱伝導を遮断し、室内側における結露の発生を抑えることができる。
【先行技術文献】
【特許文献】
【０００３】
【特許文献１】特開平１０−８８３０号公報
【発明の概要】
【発明が解決しようとする課題】
【０００４】
しかしながら、このようなサッシは、火災時において、断熱材が溶融して流出し、溶融した断熱材から可燃性ガスが発生して新たな火種になるおそれがあった。断熱材には、一般に安価で加工性が良好なウレタン樹脂が用いられているが、ウレタン樹脂は高温で溶融しやすいため、特に上記問題点が懸念されていた。
【０００５】
本発明は、上記事情を鑑みたものであり、上枠が断熱材を備えるものであって、火災時にこの断熱材が火種になることを防いだサッシを提供することを目的とする。
【課題を解決するための手段】
【０００６】
本発明のうち請求項１の発明は、上枠と、受材を備え、上枠は、室外側部材と室内側部材が断熱材を挟んで連結して形成してあり、受材は、断熱材の下方に位置しており、縁切材を挟んで上枠に取り付けてあって、上枠と受材の間に空間部を形成してあり、空間部に、長手方向に沿って熱膨張耐火材を設けてあることを特徴とする。
【発明の効果】
【０００７】
本発明によれば、火災時において、溶融した断熱材を受材が受け止めて流出を阻止し、新たな火種になることを防ぐ。また、熱膨張耐火材が発泡して、断熱材の溶融により生じた室外側部材と室内側部材の間の長手方向に延びる隙間を埋め、隙間を長手方向に分断するので、室内外が連通することを防いで火炎や煙の流通を遮断する。なお、受材は縁切材を挟んで上枠に取り付けてあるので、室外側部材と室内側部材の間の熱伝導は確実に遮断される。
【図面の簡単な説明】
【０００８】
【図１】上枠の受材部分を示し、（ａ）は縦断面図、（ｂ）は下面図である。
【図２】上枠の風止板部分を示し、（ａ）は縦断面図、（ｂ）は下面図である。
【図３】風止板部分に取り付けた熱膨張耐火材の説明図である。
【図４】サッシの縦断面図である。
【発明を実施するための形態】
【０００９】
以下、本発明の実施の形態を図面に基づいて説明する。本発明は種々の窓種に適用されるものであるが、ここでは、外付型の引違い窓の場合を示す。図４に示すように、このサッシは、上枠１と、下枠１１と、左右の縦枠１２を四周枠組みしてあり、各枠を、躯体Ｓの室外側面にネジ止めしてある。上枠１の下面には、長手方向に延びる二本のレール１ａ，１ｂを形成してあり、下枠１１の上面にも、上枠１のレール１ａ，１ｂに対向して二本のレール１１ａ，１１ｂを形成してある。そして、上下のレールの間に、外障子１３ａ及び内障子１３ｂを摺動自在に納めてある。
【００１０】
次に、上枠１の構成について詳述する。図１に示すように、上枠１は、室外側部材３と、室内側部材４と、断熱材５を備える。室外側部材３及び室内側部材４は、アルミ製の押出形材であり、断熱材５は、ウレタン樹脂製である。室外側部材３は、略矩形の中空部３１を有し、中空部３１の室内側面に、室内側に向けて開口する蟻溝状の取付溝３２を形成してある。また、中空部３１の室内側上端からは略Ｌ字形の取付片３３が延出しており、中空部３１の室外側下端からは垂下片３４が延出している。さらに、中空部３１の下面に、レール１ａを形成してある。また、レール１ａの基端部の室内側面に、室内側に向けて突出する突出片３５を形成してある。一方、室内側部材４は、略Ｌ字形の取付片４１を有し、取付片４１の室外側端に、室外側に向けて開口する蟻溝状の取付溝４２を形成してある。さらに、取付片４１の室外側端の下面に、レール１ｂを形成してある。また、レール１ｂの基端部の室外側面に、室外側に向けて突出する突出片４３を形成してある。そして、室外側部材３の取付溝３２と、室内側部材４の取付溝４２が対向しており、両取付溝３２，４２及びその間の空間を埋めるように断熱材５を設けてあって、室外側部材３と室内側部材４が断熱材５を挟んで連結してある。これにより、断熱材５は、二本のレール１ａ，１ｂの間に位置する。そして、室外側部材３と室内側部材４は直接接触しておらず、両者間の熱伝導は断熱材５により遮断される。このように構成した上枠１は、室外側部材３の取付片３３と室内側部材４の取付片４１を、躯体Ｓの室外側面にネジ止めして取り付けてある。
【００１１】
そして、上枠１には、受材２を取り付けてある。受材２は、ステンレス製で長手方向に延びる板状のものであって、図１に示すように、室外側端部を、室外側部材３の中空部３１の下面に縁切材６を挟んでネジ止めしてある。縁切材６はゴム板からなり、室外側部材３と受材２の間の熱伝導を遮断する。受材２の室内外方向幅は、二本のレール１ａ，１ｂの間隔に略等しく、受材２は、二本のレール１ａ，１ｂの間に位置する断熱材５の下方に位置している。また、受材２は、室内外方向中央部で屈曲していて、縁切材６に当接する室外側端部に対して、その室内側部分が一段低くなっており、上枠１（断熱材５）と受材２の間に空間部７を形成してあって、受材２の室内側端は、室内側のレール１ｂの室外側面の、突出片４３より下側部分に当接している。そして、空間部７内の、受材２の上面、すなわち断熱材５に対向する位置に、長手方向に沿って熱膨張耐火材８を設けてある。熱膨張耐火材８は、エポキシ系の素材からなり、炎熱により発泡して厚さ方向（取付面に対して垂直方向）に膨張するものである。なお、受材２の取付範囲は、窓全閉時における外障子１３ａの室内側位置であり、すなわち、上枠１の長手方向中央から一方側にのみ取り付けてある。
【００１２】
また、上枠１の下面の長手方向中央、すなわち外障子１３ａと内障子１３ｂの召し合わせ部には、風止板９を設けてある。風止板９は、樹脂製であって、図２に示すように、二本のレール１ａ，１ｂの間に位置しており、略矩形平板状の基部９１と、基部９１の下面に設けた矩形薄板状のヒレ部９２を有する。基部９１の室内外方向長さは、上枠１の二本のレール１ａ，１ｂの間隔よりやや短く、基部９１は、室外側端が、上枠１の室外側部材３の下面と突出片３５の間に嵌まっており、上枠１の室外側部材３にネジ止めしてある。また、ヒレ部９２は室内外方向に延びるものであって、八枚が平行に並んでおり、室内外方向長さは上枠１の二本のレール１ａ，１ｂの間隔に略等しい。
【００１３】
そして、図２及び図３に示すように、風止板９の周囲にも熱膨張耐火材を取り付けてある。まず、風止板９の基部９１の、両端から二枚目のヒレ部９２と三枚目のヒレ部９２の間の位置に、矩形の貫通孔９３を形成してあり、この貫通孔９３を埋めるようにして、上枠１の室外側部材３の下面に埋込耐火材８１を貼り付けてある。また、風止板９の基部９１と室内側のレール１ｂの間の隙間を埋めるようにして、室内側耐火材８２を取り付けてある。この室内側耐火材８２は、室内側端が、上枠１の室内側部材４の下面と突出片４３の間に嵌まっており、上枠１の室内側部材４と風止板９のヒレ部９２で挟み込んで固定してある。さらに、風止板９の基部９１の上枠長手方向両側に隣接して、上枠１の室外側部材３の下面に側方耐火材８３を貼り付けてある。そして、風止板９の基部９１及び側方耐火材８３を覆うようにして、五枚の被覆耐火材８４を取り付けてある。被覆耐火材８４の室内外方向長さは上枠１の二本のレール１ａ，１ｂの間隔に略等しく、上枠長手方向に平行に並んでいる。このうち、中央の被覆耐火材８４は、風止板９の基部９１の、両端から四枚目のヒレ部９２と五枚目のヒレ部９２の間に位置しており、基部９１を上枠１の室外側部材３に取り付けるためのネジ９４により共締めして固定してある。また、両端から二枚目の被覆耐火材８４は、風止板９の基部９１の、両端から二枚目のヒレ部９２と三枚目のヒレ部９２の間に位置しており、埋込耐火材８１に重ねて貼り付けてある。さらに、両端の被覆耐火材８４は、風止板９の基部９１の上枠長手方向両側に隣接しており、側方耐火材８３に重ねて貼り付けてある。このように、風止板９の周囲の熱膨張耐火材は、何れも風止板９に直接貼り付けることなく取り付けてある。これは、風止板９が樹脂製で、接着性がよくないためである。なお、埋込耐火材８１、室内側耐火材８２、側方耐火材８３及び被覆耐火材８４は、何れも受材２に取り付けた熱膨張耐火材８と同じ素材のものである。
【００１４】
このように構成したサッシによれば、火災時において、溶融した断熱材５を受材２が受け止めて流出を阻止し、新たな火種になることを防ぐ。受材２は、室内側部分が一段低くなっており、上枠１（断熱材５）と受材２の間に空間部７を形成してあるので、断熱材５を受け止めるだけの容積が確保されている。さらに、空間部７内の熱膨張耐火材８が発泡して、溶融した断熱材５を受け止めるので、より確実に流出を阻止する。ここで、受材２の取付範囲は、窓全閉時における外障子１３ａの室内側位置であり、これにより、溶融した断熱材５が外障子１３ａの室内側に流出することを防いでいる。一方、窓全閉時における内障子１３ｂ側においては、溶融した断熱材５が流出しても内障子１３ｂの室外側に流れ落ちるので、問題にならない。また、熱膨張耐火材８が発泡して、断熱材５の溶融により生じた室外側部材３の取付溝３２と室内側部材４の取付溝４２の間の長手方向に延びる隙間を埋め、隙間を長手方向に分断するので、室内外が連通することを防いで火炎や煙の流通を遮断する。なお、受材２は縁切材６を挟んで上枠１の室外側部材３に取り付けてあるので、室外側部材３と室内側部材４の間の熱伝導は確実に遮断され、上枠１の断熱性能が維持される。
【００１５】
また、上枠１の下面の長手方向中央、すなわち外障子１３ａと内障子１３ｂの召し合わせ部に、風止板９を設けてあって、風止板９の周囲に熱膨張耐火材（埋込耐火材８１、室内側耐火材８２、側方耐火材８３及び被覆耐火材８４）を設けてあり、火災時において、熱膨張耐火材が発泡して、上枠１の下面と、外障子１３ａと内障子１３ｂの召し合わせ上部の間の隙間を埋めるので、室内外が連通することを防いで火炎や煙の流通を遮断する。そして、これらの熱膨張耐火材は、何れも樹脂製で接着性のよくない風止板９に直接貼り付けることなく、風止板９の周囲に取り付けてあるので、剥がれ落ちることなく、火災時に確実に機能を発揮できる。
【００１６】
本発明は、上記の実施形態に限定されない。たとえば、本発明は、上枠が断熱材を有する種々のサッシに適用されるものであって、外付型の引違い窓のほか、片開き窓や、半外付型の窓などであってもよい。また、受材は、上枠の長手方向の全長にわたって設けてあってもよい。さらに、縁切材を、熱膨張耐火材からなるものとしてもよい。
【符号の説明】
【００１７】
１  上枠
２  受材
３  室外側部材
４  室内側部材
５  断熱材
６  縁切材
７  空間部
８  熱膨張耐火材
【図１】
2015094172.tif 000003
【図２】
2015094172.tif 000004
【図３】
2015094172.tif 000005
【図４】
2015094172.tif 000006